(57)【要約】【課題】根掛かりが生じにくく、かつ高いフッキング率が達成されうるジグヘッド１２の提供。【解決手段】ジグヘッド１２は、シンカー１４、フック１６及びブラシガード１８からなる。シンカー１４は、その上面に窪み３８を備えている。この窪み３８の平面形状は、略矩形である。この窪み３８は、幅方向において短く、前後方向において長い。ブラシガード１８は、ベンド３０の前方に位置している。ブラシガード１８は、多数の毛３６からなる。毛３６の下端は、窪み３８に差し込まれている。毛３６の分布領域の形状は、矩形である。分布領域の形状は、幅方向よりも前後方向において長い。このブラシガード１８は、前後方向に変形しにくく、幅方向に変形しやすい。毛３６の分布領域の幅Ｗに対する、この分布領域の長さＬの比（Ｌ／Ｗ）は、１．５以上１０以下である。【選択図】図１
2008173040.tif 000002
【特許請求の範囲】
【請求項１】
シンカーと、このシンカーに固定されたフックと、ブラシガードとを備えており、
このブラシガードが、シンカーから起立する多数の毛からなり、
この毛の分布領域の形状が、幅方向よりも前後方向において長いジグヘッド。
【請求項２】
上記シンカーがその上面に窪みを備えており、
この窪みに毛の下端が差し込まれており、
この窪みの平面形状が、幅方向よりも前後方向において長い請求項１に記載のジグヘッド。
【請求項３】
上記毛の分布領域の幅Ｗに対する、この分布領域の長さＬの比（Ｌ／Ｗ）が１．５以上１０以下である請求項１又は２に記載のジグヘッド。
【請求項４】
ジグヘッドと、このジグヘッドに固定されたスカートとを備えており、
このジグヘッドが、シンカーと、このシンカーに固定されたフックと、ブラシガードとを備えており、
このブラシガードが、シンカーから起立する多数の毛からなり、
この毛の分布領域の形状が、幅方向よりも前後方向において長いラバージグ。
【発明の詳細な説明】
【技術分野】
【０００１】
本発明は、ルアーフィッシングに用いられるジグヘッドに関する。詳細には、本発明は、ジグヘッドのブラシガードの改良に関する。
【背景技術】
【０００２】
ブラックバスフィッシングに、ラバージグが用いられている。このラバージグは、多数のゴム糸からなるスカートと、ジグヘッドとからなる。ジグヘッドは、シンカーとこのシンカーに固定されたフックとからなる。シンカーに連結されたラインが引かれることで、水中でスカートが揺らめく。この揺らめきは、ブラックバスにアピールする。スカートを生きた餌と勘違いしたブラックバスは、スカートに食いつく。スカートと共にフックも、ブラックバスの口に咥えられる。フックは、ブラックバスの上あご及び下あごに挟まれて、倒れる。
【０００３】
ロッドにブラックバスの重みを感じた釣り人は、このロッドをあおる。この動作は、「アワセ」と称されている。アワセにより、ラインを介してフックが引かれる。フックは、斜め上方に引かれる。このフックのシャンクに回転のモーメントがかかり、フックは起立する。さらにフックが引かれることで、フックがブラックバスのあご又は唇にフッキングする。こうして、ブラックバスが釣り上げられる。
【０００４】
ジグヘッドが水中を引かれるとき、フックが水草等に引っ掛かることがある。この現象は、「根掛かり」と称される。根掛かりが生じると、釣り人は水草からフックを外すことに手間を要する。フックがはずれず、ジグヘッドが失われてしまうことも多い。
【０００５】
根掛かりが抑制されるジグヘッドが、図１０に示されている。このジグヘッド２は、シンカー４、フック６及びブラシガード８を備えている。ブラシガード８は、フック６の前方に位置している。ジグヘッド２が水中を引かれると、ブラシガード８がフック６に先行して進む。このブラシガード８が水草を押しのけるので、フック６が水草に引っ掛かりにくい。
【発明の開示】
【発明が解決しようとする課題】
【０００６】
ブラックバスがフック６を咥えたとき、前述の通りフック６は倒れる。ブラシガード８も、ブラックバスの上あご及び下あごに挟まれて倒れる。アワセによってフック６のシャンク１０に回転のモーメントがかかるが、ブラシガード８が上あご及び下あごに挟まれているので、このブラシガード８は起立できない。フック６が起立するには、ブラシガード８の弾性変形が必要である。従来のブラシガード８の剛性は高いので、ブラシガード８は容易には変形しない。シャンク１０は十分には回転せず、従ってフック６は起立しない。フック６が倒れた状態でさらにフック６が引かれると、フック６がブラックバスの上唇と下唇との間をすり抜けてしまい、フッキングがなされない。ブラシガード８を備えたジグヘッド２のフッキング率は、低い。
【０００７】
本発明の目的は、根掛かりが生じにくく、かつ高いフッキング率が達成されうるジグヘッドの提供にある。
【課題を解決するための手段】
【０００８】
本発明に係るジグヘッドは、シンカーと、このシンカーに固定されたフックと、ブラシガードとを備える。このブラシガードは、シンカーから起立する多数の毛からなる。この毛の分布領域の形状は、幅方向よりも前後方向において長い。
【０００９】
シンカーがその上面に窪みを備えてもよい。この窪みに、毛の下端が差し込まれる。好ましくは、この窪みの平面形状は、幅方向よりも前後方向において長い。
【００１０】
好ましくは、毛の分布領域の幅Ｗに対する、この分布領域の長さＬの比（Ｌ／Ｗ）は、１．５以上１０以下である。
【００１１】
本発明に係るラバージグは、ジグヘッドと、このジグヘッドに固定されたスカートとを備える。このジグヘッドは、シンカーと、このシンカーに固定されたフックと、ブラシガードとを備える。このブラシガードは、シンカーから起立する多数の毛からなる。この毛の分布領域の形状は、幅方向よりも前後方向において長い。
【発明の効果】
【００１２】
毛の分布領域の形状が幅方向よりも前後方向において長いブラシガードでは、前後方向剛性が高く、幅方向剛性が低い。前後方向の高い剛性は、根掛かりを抑制する。幅方向の低い剛性は、幅方向におけるブラシガードの弾性変形を阻害しない。アワセによってフックのシャンクに回転のモーメントがかかると、ブラシガードが弾性変形を起こし、フックが容易に起立する。起立したフックは、魚に突き刺さりやすい。このジグヘッドでは、高いフッキング率が達成される。
【発明を実施するための最良の形態】
【００１３】
以下、適宜図面が参照されつつ、好ましい実施形態に基づいて本発明が詳細に説明される。
【００１４】
図１は、本発明の一実施形態に係るジグヘッド１２が示された斜視図である。図２は、図１のジグヘッド１２が示された側面図である。図２において、左側がジグヘッド１２の前側であり、右側がジグヘッド１２の後側である。このジグヘッド１２は、シンカー１４、フック１６及びブラシガード１８からなる。
【００１５】
シンカー１４は、水よりも高比重な材料からなる。シンカー１４は、典型的には、鉛又は鉛合金からなる。シンカー１４が、タングステン又はタングステン合金からなってもよい。シンカー１４は、ラインアイ２０及びテール２２を備えている。ラインアイ２０には、孔２４が貫通している。図２に示されるように、この孔２４にライン２６が通されて、このライン２６がラインアイ２０に結ばれている。
【００１６】
フック１６は、１本の線材に曲げ加工が施されることで、形成されている。フック１６は、シャンク２８とベンド３０とからなる。シャンク２８は、略直線状である。シャンク２８の端は、テール２２に埋設されている。この埋設により、シンカー１４にフック１６が堅固に固定されている。ベンド３０は、略「Ｊ」字状である。ベンド３０は、そのティップ３２の近傍に、バーブ３４を備えている。
【００１７】
ブラシガード１８は、多数の毛３６からなる。毛３６は、シンカー１４の上面から起立している。毛３６は、シンカー１４から斜め上方に延びている。毛３６は、合成樹脂又は金属からなる。典型的には、毛３６はナイロンからなる。
【００１８】
図３は、図１のジグヘッド１２のシンカー１４の一部が示された拡大断面図である。この図３に示されるように、シンカー１４はその上面に窪み３８を備えている。この窪み３８に、毛３６の下端が差し込まれている。毛３６は、接着剤により、窪み３８に固定されている。
【００１９】
図４は、図３のシンカー１４が示された拡大平面図である。この図４において、左右方向はジグヘッド１２の幅方向であり、上下方向はジグヘッド１２の前後方向である。図４には、シンカー１４の直上における毛３６の断面も示されている。前述の通り、シンカー１４の上面には窪み３８が形成されている。この窪み３８の平面形状は、略矩形である。この窪み３８は、幅方向において短く、前後方向において長い。
【００２０】
図４から明らかなように、窪み３８には、ある程度密に毛３６が差し込まれている。窪み３８が矩形なので、毛３６の分布領域の形状も矩形である。分布領域の形状は、幅方向よりも前後方向において長い。このジグヘッド１２では、前後方向において、多数の毛３６が並んでいる。幅方向において並ぶ毛３６の数は、少ない。従って、このブラシガード１８は、前後方向に変形しにくく、幅方向に変形しやすい。
【００２１】
図５は、図１のジグヘッド１２が用いられたラバージグ４０が示された側面図である。このラバージグ４０は、スカート４２を備えている。このスカート４２は、多数のゴム糸４４からなる。ゴム糸４４は、ゴムバンド又は紐により、テール２２（図１参照）に固定されている。ライン２６が引かれることで、ラバージグ４０は水中を移動する。
【００２２】
図５に示されるように、ブラシガード１８はベンド３０の前方に位置している。ラバージグ４０が水中を進むとき、ブラシガード１８がベンド３０に先行する。ラバージグ４０が水草を通過するとき、ブラシガード１８がまず水草に当たる。前述の通り、ブラシガード１８は前後方向に変形しにくいので、このブラシガード１８が水草を押しのける。その直後にこの地点をベンド３０が通過するので、ベンド３０のティップ３２は水草に引っ掛からない。
【００２３】
ラバージグ４０が水中を進むとき、ブラシガード１８がストラクチャーに接触することがある。前述の通り、ブラシガード１８は前後方向に変形しにくいので、ブラシガード１８がストラクチャーに接触することで、ラバージグ４０の進路が変えられる。進路の変更により、ベンド３０がストラクチャーから遠ざかる。ベンド３０のティップ３２は、ストラクチャーに引っ掛からない。このジグヘッド１２が用いられることにより、根掛かりが抑制される。
【００２４】
ラバージグ４０が水中を進むとき、水圧を受けてスカート４２が揺らめく。この揺らめきは、ブラックバスにアピールする。スカート４２を生きた餌と勘違いしたブラックバスは、ラバージグ４０に食いつく。スカート４２、フック１６及びブラシガード１８は、ブラックバスの口に咥えられる。
【００２５】
図６は、図１のジグヘッド１２がブラックバス４６に咥えられた様子が示された説明図である。図７は、図６のVII−VII線に沿った断面図である。図６及び７では、スカート４２の図示が省略されている。ベンド３０及びブラシガード１８は、ブラックバス４６の上あご及び下あごに挟まれている。従って、ベンド３０及びブラシガード１８は、倒れている。
【００２６】
釣り人がアワセを行うと、ライン２６の張力がラインアイ２０にかかる。ブラックバス４６は水中におり、釣り人は陸上にいるので、ラインアイ２０にかかる張力の向きは、斜め上方である。図６から明らかなように、ラインアイ２０はシャンク２８の軸線ＡＬからずれている。このラインアイ２０に上向きの力がかかるので、シャンク２８に回転のモーメントがかかる。このモーメントにより、図８において矢印Ａで示されるようにベンド３０が回転し、起立する。ブラシガード１８は上あご及び下あごに挟まれているので、倒れたままである。換言すれば、ベンド３０の起立は、幅方向（図８における上下方向）への、ブラシガード１８の弾性変形を伴う。前述の通り、ブラシガード１８は幅方向に変形しやすい。このブラシガード１８は、ベンド３０の起立を阻害しない。
【００２７】
図８に示された状態においてさらにライン２６が引かれると、ブラックバス４６の口の中でフック１６が移動する。移動方向は、図６における下方である。ベンド３０が起立しているので、このベンド３０は上あごと下あごとの間をすり抜けにくく、さらに上唇と下唇との間をすり抜けにくい。ベンド３０は、あご又は唇に突き刺さる。こうして、ブラックバス４６が釣り上げられる。このジグヘッド１２のフッキング率は、高い。
【００２８】
図４において、両矢印Ｌで示されているのは毛３６の分布領域の前後方向長さであり、両矢印Ｗで示されているのは毛３６の分布領域の幅である。長さＬは、窪み３８の前後方向長さでもある。幅Ｗは、窪み３８の幅でもある。幅Ｗに対する長さＬの比（Ｌ／Ｗ）は、１．５以上１０以下が好ましい。比（Ｌ／Ｗ）が１．５以上であるジグヘッド１２では、高いフッキング率が達成されうる。この観点から、比（Ｌ／Ｗ）は２．０以上がより好ましい。比（Ｌ／Ｗ）が１０以下であるジグヘッド１２では、根掛かりが抑制されうる。この観点から、比（Ｌ／Ｗ）は５以上がより好ましい。距離Ｌは３ｍｍ以上１５ｍｍ以下が好ましい。幅Ｗは１ｍｍ以上７ｍｍ以下が好ましい。
【００２９】
図９は、本発明の他の実施形態に係るジグヘッド４８が示された平面図である。このジグヘッド４８は、シンカー５０、フック５２及びブラシガード５４からなる。ブラシガード５４は、多数の毛５６からなる。フック５２の構造は、図１に示されたジグヘッド１２のフック１６のそれと同等である。図９では、シンカー５０の直上における毛５６の断面が示されている。
【００３０】
シンカー５０は、その上面に窪み５８を備えている。この窪み５８に、毛５６の下端が差し込まれている。毛５６は、接着剤で窪み５８に固定されている。図示されていないが、図１に示されたジグヘッド１２と同様、毛５６はシンカー５０から斜め上方に延びており、ベンドの前方に位置している。
【００３１】
このジグヘッド４８では、窪み５８の平面形状は、楕円である。従って、毛５６の分布領域の形状も楕円である。分布領域の形状は、幅方向よりも前後方向において、長い。このジグヘッド４８では、前後方向において、多数の毛５６が並んでいる。幅方向において並ぶ毛５６の数は、少ない。従って、このブラシガード５４は、前後方向に変形しにくく、幅方向に変形しやすい。
【００３２】
ブラシガード５４が前後方向に変形しにくいので、このジグヘッド４８は根掛かりしにくい。ブラシガード５４が幅方向に変形しやすいので、このジグヘッド４８では、ブラックバスの口に咥えられたフック５２が、アワセによって容易に起立する。このジグヘッド４８では、高いフッキング率が達成される。
【００３３】
このジグヘッド４８でも、毛５６の分布領域の幅Ｗに対する、この分布領域の長さＬの比（Ｌ／Ｗ）は、１．５以上１０以下が好ましい。比（Ｌ／Ｗ）は、２．０以上がより好ましい。比（Ｌ／Ｗ）は、５以上がより好ましい。距離Ｌは３ｍｍ以上１５ｍｍ以下が好ましい。幅Ｗは１ｍｍ以上７ｍｍ以下が好ましい。
【産業上の利用可能性】
【００３４】
本発明に係るジグヘッドは、ブラックバスのみならず、ナマズ、雷魚、スズキ、メバル、アイナメ、カサゴ等の種々の魚をターゲットにした釣りに用いられうる。このジグヘッドには、ワーム等の種々の疑似餌が取り付けられうる。
【図面の簡単な説明】
【００３５】
【図１】図１は、本発明の一実施形態に係るジグヘッドが示された斜視図である。
【図２】図２は、図１のジグヘッドが示された側面図である。
【図３】図３は、図１のジグヘッドのシンカーの一部が示された拡大断面図である。
【図４】図４は、図３のシンカーが示された拡大平面図である。
【図５】図５は、図１のジグヘッドが用いられたラバージグが示された側面図である。
【図６】図６は、図１のジグヘッドがブラックバスに咥えられた様子が示された説明図である。
【図７】図７は、図６のVII−VII線に沿った断面図である。
【図８】図８は、図７のジグヘッドの回転の様子が示された断面図である。
【図９】図９は、本発明の他の実施形態に係るジグヘッドが示された平面図である。
【図１０】図１０は、従来のジグヘッドが示された斜視図である。
【符号の説明】
【００３６】
１２、４８・・・ジグヘッド
１４、５０・・・シンカー
１６、５２・・・フック
１８、５４・・・ブラシガード
２０・・・ラインアイ
２８・・・シャンク
３０・・・ベンド
３２・・・ティップ
３６、５６・・・毛
３８、５８・・・窪み
４０・・・ラバージグ
４２・・・スカート
４４・・・ゴム糸
【図１】
2008173040.tif 000003
【図２】
2008173040.tif 000004
【図３】
2008173040.tif 000005
【図４】
2008173040.tif 000006
【図５】
2008173040.tif 000007
【図６】
2008173040.tif 000008
【図７】
2008173040.tif 000009
【図８】
2008173040.tif 000010
【図９】
2008173040.tif 000011
【図１０】
2008173040.tif 000012